(57)【要約】本発明は、システム情報を動的に送信することによって、無線リソースの浪費を低減することを目的とする。本発明は、システム情報を第１ブロック、第２ブロック、及び第３ブロックに分けて送信することにより、システム情報を効率的に送信できるようにする。また、本発明は、第１ブロックは静的放送チャネルで送信し、第２ブロック及び第３ブロックは動的放送チャネルで送信することにより、無線リソースを効率的に使用できるようにする。
2010516163.tif 000002
【特許請求の範囲】
【請求項１】
基地局からシステム情報を受信する方法において、
前記システム情報の第１ブロックを静的放送チャネルで前記基地局から受信する段階と、
前記第１ブロックを受信した後、前記第１ブロックに含まれる値に応じて所定の時間間隔をおいて、前記システム情報の第２ブロックを動的放送チャネルで前記基地局から受信する段階と、
前記第２ブロックに含まれる情報に基づいて、前記システム情報の第３ブロックを前記動的放送チャネルで前記基地局から受信する段階と
を含むことを特徴とする移動端末におけるシステム情報受信方法。
【請求項２】
前記第２ブロックは、前記第１ブロックに含まれる値、及び制御チャネルによる情報に従って受信することを特徴とする請求項１に記載の移動端末におけるシステム情報受信方法。
【請求項３】
前記制御チャネルは、パケットデータ制御チャネルであることを特徴とする請求項２に記載の移動端末におけるシステム情報受信方法。
【請求項４】
前記第３ブロックは、前記第２ブロックに含まれる情報、及び制御チャネルによる情報に従って受信することを特徴とする請求項１に記載の移動端末におけるシステム情報受信方法。
【請求項５】
前記静的放送チャネルは、前記システム情報以外に、他のデータと無線リソースを共有しないチャネルであることを特徴とする請求項１に記載の移動端末におけるシステム情報受信方法。
【請求項６】
前記動的放送チャネルは、ユーザデータと無線リソースを共有するチャネルであることを特徴とする請求項１に記載の移動端末におけるシステム情報受信方法。
【請求項７】
前記動的放送チャネルは、送信速度が変化するチャネルであり、前記静的放送チャネルは、送信速度が固定されたチャネルであることを特徴とする請求項１に記載の移動端末におけるシステム情報受信方法。
【請求項８】
前記動的放送チャネルは、制御チャネルを伴うチャネルであり、前記静的放送チャネルは、制御チャネルを伴わないチャネルであることを特徴とする請求項１に記載の移動端末におけるシステム情報受信方法。
【請求項９】
前記動的放送チャネルは、Ｐ−ＢＣＨ（Primary  Broadcast  Channel）、Ｄ−ＢＣＨ（Dynamic  Broadcast  Channel）、及びＳ−ＢＣＨ（Secondary  Broadcast  Channel）のいずれか１つ以上を含むことを特徴とする請求項１に記載の移動端末におけるシステム情報受信方法。
【請求項１０】
前記第１ブロックは、
現在のセルの帯域幅、
前記第２ブロックに関する情報、
ＰＬＭＮ  ＩＤ、
放送制御チャネルに関する情報、並びに、
前記第１ブロック、第２ブロック、及び第３ブロックのいずれか１つ以上に関する変更事項
のいずれか１つ以上を含むことを特徴とする請求項１に記載の移動端末におけるシステム情報受信方法。
【請求項１１】
前記第２ブロックは、
前記第１ブロック、第２ブロック、及び第３ブロックのいずれか１つ以上に関する変更事項、
前記第３ブロックに関する情報、
セルアクセス制限パラメータ、並びに、
ランダムアクセスチャネルへのアクセスに関する情報
のいずれか１つ以上を含むことを特徴とする請求項１に記載の移動端末におけるシステム情報受信方法。
【請求項１２】
前記第３ブロックは、
共通チャネル又は共用チャネルの設定情報、
呼び出し送信情報、
セル選択パラメータ、
ポジショニングパラメータ、及び、
ＭＢＭＳパラメータ
のいずれか１つ以上を含むことを特徴とする請求項１に記載の移動端末におけるシステム情報受信方法。
【請求項１３】
システム情報をセル内の端末に送信する方法において、
前記システム情報の第１ブロックを静的放送チャネルで前記端末に送信する段階と、
前記第１ブロックを送信した後、所定の時間間隔をおいて、前記システム情報の第２ブロックを動的放送チャネルで前記端末に送信する段階と、
前記システム情報の第３ブロックを前記動的放送チャネルで前記端末に送信する段階と
を含むことを特徴とする基地局からのシステム情報送信方法。
【請求項１４】
前記第１ブロックは、
現在のセルの帯域幅、
前記第２ブロックに関する情報、
ＰＬＭＮ  ＩＤ、
放送制御チャネルに関する情報、並びに、
前記第１ブロック、第２ブロック、及び第３ブロックのいずれか１つ以上に関する変更事項
のいずれか１つ以上を含むことを特徴とする請求項１３に記載の基地局からのシステム情報送信方法。
【請求項１５】
前記第２ブロックは、
前記第１ブロック、第２ブロック、及び第３ブロックのいずれか１つ以上に関する変更事項、
前記第３ブロックに関する情報、
セルアクセス制限パラメータ、並びに、
ランダムアクセスチャネルへのアクセスに関する情報
のいずれか１つ以上を含むことを特徴とする請求項１３に記載の基地局からのシステム情報送信方法。
【請求項１６】
前記第３ブロックは、
共通チャネル又は共用チャネルの設定情報、
呼び出し送信情報、
セル選択パラメータ、
ポジショニングパラメータ、及び、
ＭＢＭＳパラメータ
のいずれか１つ以上を含むことを特徴とする請求項１３に記載の基地局からのシステム情報送信方法。
【発明の詳細な説明】
【技術分野】
【０００１】
本発明は、システム情報の送信及び受信に関し、特に、Ｅ−ＵＴＲＡＮシステムにおけるシステム情報の送信及び受信に関する。
【背景技術】
【０００２】
図１は、従来技術及び本発明が適用される移動通信システムであるＥ−ＵＴＲＡＮ（Evolved  Universal  Terrestrial  Radio  Access  Network）システムの構造の一例を示す図である。
【０００３】
図１に示すＥ−ＵＴＲＡＮシステムは、従来のＵＴＲＡＮシステムから進化したものであり、基礎的な標準化作業が３ＧＰＰ（3rd  Generation  Partnership  Project）により行われている。Ｅ−ＵＴＲＡＮシステムはＬＴＥ（Long  Term  Evolution）システムとも呼ばれる。
【０００４】
Ｅ−ＵＴＲＡＮシステムは、基地局（ｅＮｏｄｅ  Ｂ又はｅＮＢ）２１、２２、２３から構成され、ｅＮＢ２１、２２、２３間はＸ２インタフェースを介して接続される。ｅＮＢ２１、２２、２３は、無線インタフェースを介して端末（又は、ＵＥ（User  Equipment））１０と接続され、Ｓ１インタフェースを介してＥＰＣ（Evolved  Packet  Core）３０に接続される。
【０００５】
端末１０とネットワーク間の無線インタフェースプロトコル層は、通信システムでよく知られている開放型システム間相互接続（Open  System  Interconnection；OSI）参照モデルの下位３層に基づいて、第１層（Ｌ１）、第２層（Ｌ２）、第３層（Ｌ３）に区分される。前記下位３層のうち、前記第１層に属する物理層は、物理チャネルを利用した情報伝送サービス（Information  Transfer  Service）を提供し、前記第３層に位置する無線リソース制御（Radio  Resource  Control；RRC）層は、端末とネットワーク間で無線リソースを制御する役割を果たす。このために、ＲＲＣ層は端末とネットワーク間でＲＲＣメッセージを交換する。
【０００６】
図２は、３ＧＰＰ無線アクセスネットワーク規格に準拠した端末とＵＴＲＡＮ（UMTS  Terrestrial  Radio  Access  Network）間の無線インタフェースプロトコルの構造を示す図である。図３は、物理チャネルの一例を示す図である。
【０００７】
図２に示す無線インタフェースプロトコルは、水平的には、物理層、データリンク層、及びネットワーク層からなる。また、前記無線インタフェースプロトコルは、垂直的には、データ情報の送信のためのユーザプレーン、及び制御信号の送信のための制御プレーンからなる。
【０００８】
図２のプロトコル層は、通信システムでよく知られている開放型システム間相互接続（ＯＳＩ）参照モデルの下位３層に基づいて、第１層（Ｌ１）、第２層（Ｌ２）、第３層（Ｌ３）に区分される。
【０００９】
前記第１層である物理層は、物理チャネルを利用して上位層に情報伝送サービスを提供する。前記物理層は、上位の媒体アクセス制御（Medium  Access  Control；MAC）層とトランスポートチャネルを介して接続されており、このトランスポートチャネルで前記ＭＡＣ層にデータを送信する。
【００１０】
一方、異なる物理層間、すなわち送信側物理層と受信側物理層間では、物理チャネルでデータが送受信される。前記物理チャネルは、ＯＦＤＭ（Orthogonal  Frequency  Division  Multiplexing）方式で変調され、時間と周波数を無線リソースとして活用する。
【００１１】
前記第２層は２つの下位層に分けられる。すなわち、前記第２層は、前記ＭＡＣ層と無線リンク制御（Radio  Link  Control；RLC）層とに分けられる。前記ＭＡＣ層は、論理チャネルを介して、上位層である前記ＲＬＣ層にサービスを提供する。前記ＲＬＣ層は、信頼性のあるデータ送信をサポートする。ここで、前記ＲＬＣ層の機能は、前記ＭＡＣ層内部の機能ブロックとして実現することもできる。この場合、前記ＲＬＣ層は存在しなくてもよい。
【００１２】
一方、図示していないが、前記第２層にはＰＤＣＰ層がさらに存在する。前記ＰＤＣＰ層は、ＩＰｖ４やＩＰｖ６などのＩＰパケットを帯域幅の狭い無線区間で効率的に送信するために、相対的にサイズが大きくて不要な制御情報を含むＩＰパケットのヘッダのサイズを小さくするヘッダ圧縮機能を実行する。
【００１３】
前記第３層に該当するＲＲＣ層は、制御プレーンでのみ定義され、無線ベアラ（Radio  Bearer；RB）の設定、再設定、及び解除に関連して、論理チャネル、トランスポートチャネル、及び物理チャネルの制御を担当する。ここで、無線ベアラ（ＲＢ）とは、端末１０とＵＴＲＡＮ間のデータ送信のために前記第２層により提供されるサービスを意味する。端末１０のＲＲＣ層とネットワークのＲＲＣ層間にＲＲＣ接続がある場合、端末１０はＲＲＣ接続状態（Connected  Mode）にあると定義し、そうでない場合、ＲＲＣアイドル状態（Idle  Mode）にあると定義する。
【００１４】
前記ＲＲＣ層の上位にはＮＡＳ（Non-Access  Stratum）層が存在する。前記ＮＡＳ層は、セッション管理や移動管理（Mobility  Management）などの機能を実行する。
【００１５】
以下、前記物理チャネル、トランスポートチャネル、及び論理チャネルについて、より詳細に説明する。
【００１６】
まず、ｅＮＢ２１、２２、２３のそれぞれが構成する１つのセルは、１．２５Ｍｈｚ、２．５Ｍｈｚ、５Ｍｈｚ、１０Ｍｈｚ、２０Ｍｈｚなどの帯域幅のいずれか１つに設定され、様々な端末にダウンリンク又はアップリンクの物理チャネルを提供する。ここで、異なるセルが異なる帯域幅を提供するように設定することができる。
【００１７】
図３から分かるように、前記物理チャネルは、時間軸上のいくつかのサブフレームと、周波数軸上のいくつかのサブキャリアとから構成される。ここで、１つのサブフレームは、時間軸上に複数のシンボルから構成される。そして、１つのサブフレームは、複数のリソースブロックから構成され、１つのリソースブロックは、複数のシンボルと、複数のサブキャリアとから構成される。また、各サブフレームは、ＰＤＣＣＨ（Physical  Downlink  Control  Channel）、すなわちＬ１／Ｌ２制御チャネルのために、当該サブフレームの特定のシンボル（例えば、最初のシンボル）の特定のサブキャリアを利用することができる。１つのサブフレームは０．５ｍｓであり、データ送信の単位時間であるＴＴＩ（Transmission  Time  Interval）は２つのサブフレームに該当する１ｍｓである。
【００１８】
次に、前記トランスポートチャネルは、ネットワークから端末にデータを送信するためのダウンリンクのトランスポートチャネルと、端末からネットワークにデータを送信するためのアップリンクのトランスポートチャネルとを含む。前記ネットワークから端末にデータを送信するためのダウンリンクのトランスポートチャネルとしては、システム情報を送信する放送チャネル（Broadcast  Channel；BCH）、ページングメッセージを送信するページングチャネル（Paging  Channel；PCH）、ユーザトラフィック又は制御メッセージを送信するダウンリンク共有チャネル（Shared  Channel；SCH）などがある。ダウンリンクマルチキャスト、ブロードキャストサービスのトラフィック、又は制御メッセージの場合、前記ダウンリンクＳＣＨで送信することもでき、別途のダウンリンクＭＣＨ（Multicast  Channel）で送信することもできる。
【００１９】
前記端末からネットワークにデータを送信するためのアップリンクのトランスポートチャネルとしては、初期制御メッセージを送信するランダムアクセスチャネル（Random  Access  Channel；RACH）、ユーザトラフィック又は制御メッセージを送信するアップリンク共有チャネル（ＳＣＨ）などがある。
【００２０】
前記論理チャネルは、前記トランスポートチャネルにマッピングされ、ＢＣＣＨ（Broadcast  Channel）、ＰＣＣＨ（Paging  Control  Channel）、ＣＣＣＨ（Common  Control  Channel）、ＭＣＣＨ（Multicast  Control  Channel）、ＭＴＣＨ（Multicast  Traffic  Channel）などがある。
【００２１】
前述した従来技術においては、基地局がシステム情報を静的チャネル、すなわち放送チャネル（ＢＣＨ）で送信していた。ところが、このようにシステム情報を静的に送信するためには、常に無線リソースの割当を維持する必要がある。しかし、これは無線リソースの非常に非効率的な使用であり、無線リソースは常に不足していた。
【発明の概要】
【課題を解決するための手段】
【００２２】
そこで、本発明は、システム情報を動的に送信することにより、無線リソースの浪費を低減することを目的とする。
【００２３】
上記の目的を達成するために、本発明は、システム情報を第１ブロック、第２ブロック、及び第３ブロックに分け、前記第１ブロックは静的放送チャネルで送信し、前記第２ブロック及び前記第３ブロックは動的放送チャネルで送信することにより、システム情報を効率的に送信できるようにする。
【００２４】
具体的には、本発明は、システム情報の第１ブロックを静的放送チャネルで端末に送信する段階と、前記第１ブロックを送信した後、所定の時間間隔をおいて、前記システム情報の第２ブロックを動的放送チャネルで前記端末に送信する段階と、前記システム情報の第３ブロックを前記動的放送チャネルで前記端末に送信する段階とを含む、基地局からセル内の端末へのシステム情報送信方法を提供する。
【００２５】
また、本発明は、システム情報の第１ブロックを静的放送チャネルで基地局から受信する段階と、前記第１ブロックを受信した後、前記第１ブロックに含まれる値に応じて所定の時間間隔をおいて、前記システム情報の第２ブロックを動的放送チャネルで前記基地局から受信する段階と、前記第２ブロックに含まれる情報に基づいて、前記システム情報の第３ブロックを前記動的放送チャネルで前記基地局から受信する段階とを含む、移動端末における基地局からのシステム情報受信方法を提供する。
【００２６】
前記端末は、前記第１ブロックにより前記第２ブロックに関する情報を受信し、前記第２ブロックにより前記第３ブロックに関する情報を受信することが好ましい。
【００２７】
前記端末は、前記第２ブロックと前記動的放送チャネルの制御チャネルにより、前記第３ブロックに関する制御情報を取得することが好ましい。
【００２８】
前記動的放送チャネルは、ユーザデータと無線リソースを共有するチャネルであり、前記静的放送チャネルは、ユーザデータと無線リソースを共有しないチャネルであることが好ましい。
【００２９】
前記静的放送チャネルは、前記システム情報以外に、他のデータと無線リソースを共有しないチャネルであることが好ましい。
【００３０】
前記動的放送チャネルは、送信速度の変化が可能なチャネルであり、前記静的放送チャネルは、送信速度が変化しないチャネルであることが好ましい。
【００３１】
前記動的放送チャネルは、追加の制御チャネルを伴うチャネルであり、前記静的放送チャネルは、追加の制御チャネルを伴わないチャネルであることが好ましい。
【図面の簡単な説明】
【００３２】
【図１】図１は、従来の移動通信システムであるＥ−ＵＴＲＡＮシステムの構造の一例を示す図である。
【図２】図２は、３ＧＰＰ無線アクセスネットワーク規格に準拠した端末とＵＴＲＡＮ間の無線インタフェースプロトコルの構造の一例を示す図である。
【図３】図３は、物理チャネルの一例を示す図である。
【図４】図４は、本発明による端末１００及び基地局（又は、ｅＮＢ）２００の一例を示す図である。
【図５】図５は、本発明によるシステム情報送信の一例を示す図である。
【発明を実施するための形態】
【００３３】
以下、本発明の実施形態について添付図面を参照して詳細に説明する。
【００３４】
図４は、本発明による端末１００及び基地局（又は、ｅＮＢ）２００の一例を示す図であり、図５は、本発明によるシステム情報送信の一例を示す図である。
【００３５】
図４から分かるように、本発明による基地局（又は、ｅＮＢ）２００は、システム情報を第１ブロック、第２ブロック、及び第３ブロックに分け、前記第１ブロックは静的放送チャネルで送信し、前記第２ブロック及び前記第３ブロックは動的放送チャネルで送信することにより、システム情報を効率的に送信できるようにする。ここで、前記静的放送チャネルは、前記システム情報以外に、他のデータと無線リソースを共有しないチャネルであってもよい。また、前記動的放送チャネルは、ユーザデータと無線リソースを共有するチャネルであってもよい。さらに、前記動的放送チャネルは、送信速度が変化するチャネルであり、前記静的放送チャネルは、送信速度が固定されたチャネルであってもよい。又は、前記動的放送チャネルは、制御チャネルを伴うチャネルであり、前記静的放送チャネルは、制御チャネルを伴わないチャネルであってもよい。例えば、前記静的放送チャネルは、Ｐ−ＢＣＨ（Primary  Broadcast  Channel）であってもよい。また、前記動的放送チャネルは、Ｄ−ＢＣＨ（Dynamic  Broadcast  Channel）、Ｓ−ＢＣＨ（Secondary  Broadcast  Channel）、又はＤＬ  ＳＣＨ（Downlink  Shared  Channel）であってもよい。
【００３６】
具体的には、基地局（又は、ｅＮＢ）２００は、前記システム情報を、第１ブロックであるＰＩＢ（Primary  system  Information  Block）、第２ブロックであるＭＩＢ（Master  secondary  system  Information  Block）、第３ブロックであるＳＩＢ（Secondary  system  Information  Block）に分ける。ここで、前記ＰＩＢは前記ＭＩＢに関する情報を提供し、前記ＭＩＢは前記ＳＩＢに関する情報を提供する。
【００３７】
したがって、端末１００は、基地局（又は、ｅＮＢ）２００から前記ＰＩＢを受信することにより前記ＭＩＢに関する情報を取得し、その取得したＭＩＢに関する情報を用いて前記ＭＩＢを受信することができる。また、前記端末は、前記ＭＩＢを受信することにより前記ＳＩＢに関する情報を取得し、その取得したＳＩＢに関する情報を用いて前記ＳＩＢを受信することができる。
【００３８】
以下、図５を参照してより詳細に説明する。
【００３９】
図５から分かるように、前記ＰＩＢは、ＳＣＨの後に取得できる最初のシステム情報であり、端末１００が特定のセルでセルサーチを行った後に取得することができる。このようなＰＩＢは、セルで静的情報のみを含んでもよい。この場合、端末１００は、特定のセルでＰＩＢを一度正確に受信すると、当該セルでＰＩＢを再び受信する必要がない。前記ＰＩＢは、静的放送チャネルで周期的に送信される。１つのセルでは１つのＰＩＢが放送され、前記ＰＩＢはＳｙｎＣＨ（Synchronization  Channel）に続いて周期的に送信される。
【００４０】
前記ＰＩＢは次の情報を含んでもよい。
【００４１】
・現在のセルの帯域幅
・ＭＩＢ指示情報（リファレンス）：ＭＩＢ指示情報は、前記ＰＩＢの送信時間と前記ＭＩＢの送信時間との差（すなわち、時間間隔）（図４の「Ｔｏ」）、及び前記ＭＩＢを受信するための物理層のパラメータを含む。ここで、「Ｔｏ」値は、セル毎に又はセルの帯域幅によって、異なる値を用いることもできる。又は、「Ｔｏ」値は、全てのＬＴＥシステムで特定の値に固定することもできる。「Ｔｏ」値が特定の値に固定されている場合、「Ｔｏ」値は前記ＰＩＢにより送信する必要がない。すなわち、前記ＭＩＢが静的に送信される場合、例えば前記ＭＩＢが送信される周波数及び時間が固定されると、前記ＰＩＢは前記ＭＩＢ指示情報を含まなくてもよい。
【００４２】
・ＰＬＭＮ  ＩＤ、ＢＣＣＨ周期情報：前記ＰＩＢは、ＰＬＭＮ  ＩＤ及びＢＣＣＨ周期情報をさらに含んでもよい。前記ＢＣＣＨ周期は、システム情報がＢＣＣＨ（Broadcast  Control  Channel）チャネルで送信される周期である。例えば、前記ＢＣＣＨ周期は、前記ＰＩＢ又は前記ＭＩＢの送信周期である。又は、前記ＢＣＣＨ周期は、前記ＳｙｎＣＨチャネルの送信周期である。
【００４３】
・Ｖａｌｕｅ  ｔａｇ：前記ＰＩＢは、Ｖａｌｕｅ  ｔａｇをさらに含んでもよい。前記Ｖａｌｕｅ  ｔａｇは、前記ＰＩＢ、ＭＩＢ、ＳＩＢなどの変更事項を示す。したがって、端末１００は、前記Ｖａｌｕｅ  ｔａｇの内容から、前記ＰＩＢ、ＭＩＢ、ＳＩＢなどが変更されたか否かが分かる。前記ＰＩＢが前記Ｖａｌｕｅ  ｔａｇを含まない場合、前記Ｖａｌｕｅ  ｔａｇは前記ＭＩＢに含まれてもよい。
【００４４】
前記ＭＩＢは、動的な放送チャネルで周期的に送信される。１つのセルでは１つのＭＩＢのみ周期的に送信される。前記ＭＩＢは次の情報を含んでもよい。
【００４５】
・ＰＩＢ、ＭＩＢ、ＳＩＢなどに関するＶａｌｕｅ  ｔａｇ：前記ＰＩＢにＶａｌｕｅ  ｔａｇが含まれない場合、前記Ｖａｌｕｅ  ｔａｇは前記ＭＩＢに含まれてもよい。前記Ｖａｌｕｅ  ｔａｇは、前記ＰＩＢ、ＭＩＢ、ＳＩＢなどの変更事項を示す。したがって、端末１００は、前記ＭＩＢの内容から、前記ＰＩＢ、ＭＩＢ、ＳＩＢなどが変更されたか否かが分かる。
【００４６】
・ＳＩＢ指示情報（リファレンス）：ＳＩＢ指示情報は、該当ＭＩＢが送信される該当ＢＣＣＨ周期に送信されるＳＩＢに関する情報、例えば様々なＳＩＢに対するポインタ、すなわちＳＩＢの送信スケジューリング情報、及びＳＩＢを受信するための物理層のパラメータの少なくともいずれか一方を含む。
【００４７】
・セルアクセス制限パラメータ（cell  access  restriction  parameter）（ＰＬＭＮ  ＩＤ、Ｔｒａｃｋｉｎｇ  Ａｒｅａ  ＩＤ、セル接近禁止（cell  barring）など）
・ＲＡＣＨアクセス情報：前記ＭＩＢは、ＲＡＣＨアクセス情報を含んでもよい。
【００４８】
前記ＭＩＢは、前記ＰＩＢに続いて送信される。前記ＭＩＢは、前記ＰＩＢの送信から「Ｔｏ」値の時間差をおいて送信される。ここで、「Ｔｏ」値が固定されている場合、端末１００は、前記ＰＩＢ送信フレームから「Ｔｏ」以降の時間フレームで前記ＭＩＢが送信されることを把握することができる。しかしながら、「Ｔｏ」値が固定されていない場合も、前記ＰＩＢは前記ＭＩＢが送信される動的ＢＣＨチャネルのフレームを示すため、端末１００は、前記ＰＩＢを受信することにより前記ＭＩＢが送信されるフレームを把握することができる。
【００４９】
前記「Ｔｏ」値により示されるフレーム内のリソースブロックのうち、どのリソースブロック内に前記ＭＩＢが含まれているかは、Ｌ１／Ｌ２制御チャネル、すなわちＰＤＣＣＨにより示される。端末１００は、前記フレームで前記Ｌ１／Ｌ２制御チャネルを受信し、前記Ｌ１／Ｌ２制御チャネルが送信する制御情報に従って、前記ＭＩＢに対応するフレーム内で特定のリソースブロックを受信する。
【００５０】
前記ＭＩＢが送信される帯域幅は固定されていてもよい。この場合、ＭＩＢ送信帯域幅は、セル帯域幅の大きさによって異なる値に設定してもよい。
【００５１】
前記ＭＩＢは、前記フレーム内で動的にスケジューリングされる。したがって、ユニキャストデータの送信と前記ＭＩＢの送信とは、動的に無線リソースを共有して送信することができる。ここで、Ｌ１／Ｌ２制御チャネルは、前記ユニキャストデータの送信と前記ＭＩＢの送信に関する制御情報を提供し、前記ユニキャストと前記ＭＩＢを共に動的にスケジューリングする。
【００５２】
前記ＭＩＢは、アップリンクフィードバック情報を用いることなく、ハイブリッドＡＲＱ方法を用いて再送信が可能である。ここで、再送信に関する制御情報は、前記Ｌ１／Ｌ２制御チャネル又は前記ＰＩＢにより端末１００に伝達することができる。
【００５３】
前記ＳＩＢは、前記ＰＩＢ及び前記ＭＩＢに含まれない様々なシステム情報を含むこともできる。例えば、前記ＳＩＢは、共通チャネル又は共用チャネルの設定情報、呼び出し送信情報、セル選択パラメータ、ポジショニングパラメータ、ＭＢＭＳパラメータなどを含む。
【００５４】
前記ＳＩＢは、動的放送チャネル、例えば動的ＢＣＨで周期的に送信される。各ＳＩＢに対する要求事項に応じて、異なるＳＩＢを異なる周期で周期的に放送することができる。ここで、前記ＳＩＢの周期に関する情報は、前述のように、前記ＭＩＢにより送信される。すなわち、前記ＭＩＢは、前述のように、前記ＳＩＢに対するポインタを利用して、前記ＳＩＢが送信される動的ＢＣＨのフレームを通知する。そして、前記通知されたフレーム内で前記ＳＩＢがどこに位置するかは、前記Ｌ１／Ｌ２制御チャネル、すなわちＰＤＣＣＨにより示される。したがって、前記ＳＩＢは、前記フレーム内で動的にスケジューリングされることが可能である。
【００５５】
よって、端末１００は、前記ＭＩＢを受信することにより特定のＳＩＢが送信されるフレームが分かる。また、端末１００は、前記ＭＩＢに示されたフレームで前記Ｌ１／Ｌ２制御チャネルを受信し、前記Ｌ１／Ｌ２制御チャネルが送信する制御情報に従って、前記ＳＩＢが含まれるリソースブロックを受信する。
【００５６】
前記ＳＩＢは、アップリンクフィードバック情報を用いることなく、ハイブリッドＡＲＱ方法を用いて再送信が可能である。ここで、再送信に関する制御情報は、前記Ｌ１／Ｌ２制御チャネル、又は前記ＰＩＢもしくは前記ＭＩＢにより端末１００に伝達することができる。
【００５７】
以下、前記ＰＩＢ、ＭＩＢ、ＳＩＢの送信及び受信について説明する。
【００５８】
ｅＮＢ２００のＲＲＣ２４０は、システム情報を第１ブロック、第２ブロック、及び第３ブロックに分け、その構成された各ブロックを静的放送チャネル又は動的放送チャネルで送信する。
【００５９】
具体的には、ｅＮＢ２００のＲＲＣ２４０は、前記第１ブロックに該当するＰＩＢを静的放送チャネルで送信し、前記第２ブロックに該当するＭＩＢと前記第３ブロックに該当するＳＩＢを動的放送チャネルで送信する。
【００６０】
前記ｅＮＢのＲＲＣ層２４０の下位層である第２層２２０、２３０は、静的放送チャネルで送信される前記ＰＩＢに前記第２層のヘッダを付加することなく、そのまま物理層２１０に転送する。一方、前記ｅＮＢの第２層２２０、２３０は、動的放送チャネルで送信される前記ＭＩＢもしくは前記ＳＩＢをセグメント化（segmentation）又は連結（concatenation）することができ、前記ＭＩＢもしくは前記ＳＩＢに前記第２層のヘッダを付加して物理層２１０に転送する。ここで、付加されるヘッダは、前記ＭＩＢもしくは前記ＳＩＢに適用されたセグメント化又は連結に関する情報を含む。
【００６１】
端末１００の物理層１１０は、静的チャネルで前記ＰＩＢを受信する。例えば、端末１００は、ＳＣＨ（Synchronization  Channel）に続いて前記ＰＩＢを静的放送チャネルで受信する。そして、端末１００の物理層１１０は、前記受信したＰＩＢを前記端末の第２層１２０、１３０に転送する。前記端末の第２層１２０、１３０は、前記転送されたＰＩＢをそのままＲＲＣ層１４０に転送する。端末１００は、前記ＰＩＢにより前記ＭＩＢに関する指示情報を取得する。
【００６２】
端末１００は、前記指示情報に従って、動的放送チャネルで前記ＭＩＢが含まれるフレームを受信する。また、前記フレームのＬ１／Ｌ２制御チャネル、すなわちＰＤＣＣＨにより、前記ＭＩＢを含む送信ブロックが前記フレーム内でどこに位置するかを確認し、その確認した位置に応じて送信ブロックを受信する。端末１００の物理層１１０は、前記ＭＩＢを含む送信ブロックを第２層１２０、１３０に転送し、第２層１２０、１３０は、前記ブロックに付加された第２層のヘッダに基づいて、前記送信ブロックを再構成（re-assembly）する。端末１００の第２層１２０、１３０は、前記再構成されたＭＩＢをＲＲＣ層１４０に転送する。ＲＲＣ層１４０は、前記ＭＩＢに含まれるＳＩＢに対する指示事項、すなわち前記ＳＩＢに対するポインタを確認し、前記ＳＩＢを受信するように物理層１１０に指示する。
【００６３】
物理層１１０は、前記ＳＩＢに対するポインタに従って、動的放送チャネルで前記ＳＩＢが含まれるフレームを受信する。そして、端末１００は、前記フレームのＬ１／Ｌ２制御チャネルにより、前記ＳＩＢを含む送信ブロックが前記フレーム内でどこに位置するかを確認し、その確認した位置に応じて送信ブロックを受信する。
【００６４】
すると、前記端末の物理層１００は、前記ＳＩＢを含む送信ブロックを第２層１２０、１３０に転送し、第２層１２０、１３０は、前記ブロックに付加された第２層のヘッダに基づいて、前記送信ブロックを再構成する。前記端末の第２層１２０、１３０は、前記再構成されたＳＩＢをＲＲＣ層１４０に転送する。
【００６５】
以上、本発明の好ましい実施形態を説明したが、当業者であれば、本発明の思想や請求の範囲を逸脱しない限り、様々な変更、変形、又は代替が可能である。
【産業上の利用可能性】
【００６６】
以上説明したように、本発明は、システム情報を第１ブロック、第２ブロック、及び第３ブロックに分けて送信することにより、システム情報を効率的に送信できるようにする。
【００６７】
また、本発明は、前記第１ブロックは静的放送チャネルで送信し、前記第２ブロック及び前記第３ブロックは動的放送チャネルで送信することにより、無線リソースを効率的に使用できるようにする。
【図１】
2010516163.tif 000003
【図２】
2010516163.tif 000004
【図３】
2010516163.tif 000005
【図４】
2010516163.tif 000006
【図５】
2010516163.tif 000007
【国際調査報告】
2010516163.tif 000008
2010516163.tif 000009